(57)【要約】【課題】第１朝顔群を列設したＸ方向に延びる第１足場構築体と第２朝顔群を列設したＹ方向に延びる第２足場構築体の間におけるコーナー領域を好適に塞ぐことができるコーナー用朝顔の設置工法と装置を提供する。【解決手段】コーナー領域の中央に配置される矩形朝顔装置(20)と左右に配置される扇形朝顔装置(21)(21)から成るコーナーユニットによりコーナー用朝顔装置(19)を構成し、端部支柱(6e)に設けられた端部朝顔装置(2e)の上方に位置してコーナー用ブラケット(22)を取付け、該コーナー用ブラケット(22)に前記コーナーユニットの扇形朝顔装置(21)を連結することにより、扇形朝顔装置(21)を既存の端部朝顔装置(2e)の上方所定位置Ｈに設置する。【選択図】図１
2015203184.tif 000002
【特許請求の範囲】
【請求項１】
コーナー領域において交差するＸ方向とＹ方向に関し、Ｘ方向に延びる第１足場構築体から斜め上向きに張出状態で列設される第１朝顔群と、Ｙ方向に延びる第２足場構築体から斜め上向きに張り出した状態で列設される第２朝顔群を既設した後、該第１朝顔群と第２朝顔群における前記コーナー領域に臨む端部朝顔装置(2e)(2e)の間に位置してコーナー用朝顔装置を設置する工法であり、
前記コーナー用朝顔装置(19)は、コーナー領域の中央に配置される矩形朝顔装置(20)と、前記矩形朝顔装置の左右に配置される一対の扇形朝顔装置(21)(21)によりコーナーユニットを構成しており、
前記第１足場構築体と第２足場構築体における前記コーナー領域に臨む端部支柱(6e)(6e)にコーナー用ブラケット(22)を取付けるブラケット取付工程と、
該コーナー用ブラケット(22)を介して前記扇形朝顔装置(21)の基端部を連結する連結支持工程と、
吊持材(23)を介して前記扇形朝顔装置(21)を前記端部支柱(6e)の上方位置から吊持させる吊持工程を含んでおり、
前記ブラケット取付工程に際し、前記端部朝顔装置(2e)の基端部を連結する既設ブラケット(3)の上方位置にコーナー用ブラケット(22)を取付けることにより、扇形朝顔装置(21)を端部朝顔装置(2e)の上方所定位置Ｈに設置するように構成して成ることを特徴とする足場構築体におけるコーナー用朝顔の設置工法。
【請求項２】
前記コーナーユニットを構成する矩形朝顔装置(20)は、異なる幅寸法を有する複数種類の矩形朝顔装置から選択され、
前記コーナー領域に臨む端部朝顔装置(2e)(2e)の間の間隔が狭い場合は、小幅寸法の矩形朝顔装置を選択し、
前記コーナー領域に臨む端部朝顔装置(2e)(2e)の間の間隔が広い場合は、大幅寸法の矩形朝顔装置を選択することを特徴とする請求項１に記載の足場構築体におけるコーナー用朝顔設置工法。
【請求項３】
請求項１又は２に記載の工法に使用するコーナー用朝顔装置であり、
コーナー領域の中央に配置される矩形朝顔装置(20)と該矩形朝顔装置の左右に配置される一対の扇形朝顔装置(21)(21)により構成されたコーナーユニットと、
コーナー領域に臨む左右一対の端部支柱(6e)(6e)に取付けられるコーナー用ブラケット(22)と、
前記左右一対の端部支柱(6e)(6e)の上方位置からそれぞれ左右一対の扇形朝顔装置(21)(21)を吊持する吊持材(23)を備えており、
前記コーナー用ブラケット(22)は、前記端部支柱(6e)に固着される固着具(25)から延設された支持アーム(26)を介して、前記コーナーユニットの扇形朝顔装置(21)の基端部を連結する外側ブラケット(27)と、前記矩形朝顔装置(20)の基端部を連結する内側ブラケット(28)を設けて成ることを特徴とする足場構築体におけるコーナー用朝顔装置。
【請求項４】
前記コーナー用ブラケット(22)は、前記外側ブラケット及び内側ブラケットの下方に位置する載置手段(29)を設けており、
前記既設ブラケット(3)の上に前記載置手段(29)を載置することにより、該コーナー用ブラケット(22)に扇形朝顔装置(21)の基端部を連結したとき、該扇形朝顔装置(21)が端部朝顔装置(2e)の上方所定位置Ｈに設置されるように構成して成ることを特徴とする請求項３に記載の足場構築体におけるコーナー用朝顔装置。
【請求項５】
請求項１又は２に記載の工法に使用するコーナー用朝顔装置であり、
コーナー領域の中央に配置される矩形朝顔装置(20)と該矩形朝顔装置の左右に配置される一対の扇形朝顔装置(21)(21)により構成されたコーナーユニットと、
コーナー領域に臨む左右一対の端部支柱(6e)(6e)に取付けられるコーナー用ブラケット(22)と、
前記左右一対の端部支柱(6e)(6e)の上方位置からそれぞれ左右一対の扇形朝顔装置(21)(21)を吊持する吊持材(23)を備えており、
前記扇形朝顔装置(21)は、扇形角度θを規定する基端部材(50)と、該基端部材に固設されることにより前記コーナー用ブラケットに枢結される枢結部材(35)と、前記基端部材の両側から前記扇形角度を保持した状態で延びる左右フレーム(51L,51R)と、該左右フレームの相互に対向する保持溝(54)により両側縁を保持される閉塞板(58)を備えており、
前記左右フレーム(51L,51R)は、前記閉塞板(58)の上面を横断する梁部材(60)により連結されると共に、該梁部材(60)を前記吊持材(23)により前記端部支柱(6e)の上方位置から吊持されるように構成して成ることを特徴とする足場構築体におけるコーナー用朝顔装置。
【発明の詳細な説明】
【技術分野】
【０００１】
本発明は、足場構築体においてコーナー領域に臨む端部朝顔装置の間にコーナー用朝顔を設置する工法及び該工法に使用するコーナー用朝顔装置に関する。
【背景技術】
【０００２】
建築現場や建設現場等に構築される仮設足場は、コーナー領域において交差するＸ方向とＹ方向に関し、Ｘ方向に延びる第１足場構築体から斜め上向きに張出状態で列設される第１朝顔群と、Ｙ方向に延びる第２足場構築体から斜め上向きに張り出した状態で列設される第２朝顔群を設置し、足場構築体の高所から誤って落下する落下物を受取り、地上に落下する危険を防止している。
【０００３】
第１足場構築体と第２足場構築体が延びるＸ方向及びＹ方向の交差角度は、一般的に９０度とされており、コーナー領域には、二等辺三角形の扇形とされたコーナー用朝顔装置を設置することにより、万全の安全を期している。
【０００４】
前述のような９０度のコーナー領域を塞ぐため、それぞれ４５度の扇形角度を有する２枚のパネルから成るコーナー用朝顔装置が使用され、前記コーナー領域に臨む第１足場構築体と第２足場構築体の端部支柱に対して、ブラケットを介してコーナー用朝顔装置の基端部が連結される。
【０００５】
設置後のコーナー用朝顔装置は、前記コーナー領域に臨む第１朝顔群と第２朝顔群の端部朝顔装置の間に嵌入され、相互に側縁を整合させられる。
【先行技術文献】
【特許文献】
【０００６】
【特許文献１】特許第４６５８０２１号公報
【発明の概要】
【発明が解決しようとする課題】
【０００７】
ところが、第１足場構築体と第２足場構築体が延びるＸ方向及びＹ方向の交差角度は、常に９０度に限られておらず、施工現場により、建物の外壁の形状等に起因して、９０度と異なる場合がある。
【０００８】
このような場合、２枚で９０度の扇形角度を形成するコーナー用朝顔装置を設置しても、コーナー領域に臨む第１朝顔群と第２朝顔群の端部朝顔装置との間に隙間が生じる等、コーナー領域を好適に塞ぐことができず、安全性に問題を提起する。
【０００９】
この問題を解決するためには、例えば、２枚で９０度を超える扇形角度を形成するコーナー用朝顔装置を予め製作し準備しておけば良いが、前記Ｘ方向とＹ方向の交差角度は、施工現場により様々であるから、これに対応することは極めて困難である。
【００１０】
本発明は、上記問題に鑑み、コーナー用朝顔装置を提供するに際し、コーナー領域に臨む端部朝顔装置の間に嵌入するという従来技術の既成観念を打ち破り、コーナー用朝顔装置を端部朝顔装置の上方所定位置に設置することにより、前記交差角度が９０度と異なる様々な角度とされている場合でも、簡単容易にコーナー領域を好適に塞ぐことができることを知得した。
【００１１】
従って、コーナー用朝顔装置は、９０度と異なる交差角により形成された広いコーナー領域を塞ぐことができるように、大幅寸法のものに形成することが必要になるが、この際、従来のような二等辺三角形とされた２枚の扇形朝顔装置に加えて、その間に、矩形朝顔装置を配置することにより、前記交差角が様々な角度とされている場合でも、常にコーナー領域を塞ぐことが可能になることを知得した。
【００１２】
前述の第１朝顔群や第２朝顔群を構成する従来の朝顔装置は、矩形に形成され、しかも、異なる幅寸法を有する複数種類のものが選択的に使用されている現状があり、従って、このような従来の矩形の朝顔装置から必要に応じて所定の幅寸法のものを利用し、これを前記扇形朝顔装置の間に配置すれば、様々な交差角度により形成されたコーナー領域の全てに対応することが可能であり、好適にコーナー領域を塞ぐことできることを知得した。
【課題を解決するための手段】
【００１３】
そこで、本発明の足場構築体におけるコーナー用朝顔の設置工法が特徴として構成したところは、コーナー領域において交差するＸ方向とＹ方向に関し、Ｘ方向に延びる第１足場構築体から斜め上向きに張出状態で列設される第１朝顔群と、Ｙ方向に延びる第２足場構築体から斜め上向きに張り出した状態で列設される第２朝顔群を既設した後、該第１朝顔群と第２朝顔群における前記コーナー領域に臨む端部朝顔装置の間に位置してコーナー用朝顔装置を設置する工法であり、前記コーナー用朝顔装置は、コーナー領域の中央に配置される矩形朝顔装置と、前記矩形朝顔装置の左右に配置される一対の扇形朝顔装置によりコーナーユニットを構成しており、前記第１足場構築体と第２足場構築体における前記コーナー領域に臨む端部支柱にコーナー用ブラケットを取付けるブラケット取付工程と、該コーナー用ブラケットを介して前記扇形朝顔装置の基端部を連結する連結支持工程と、吊持材を介して前記扇形朝顔装置を前記端部支柱の上方位置から吊持させる吊持工程を含んでおり、前記ブラケット取付工程に際し、前記端部朝顔装置の基端部を連結する既設ブラケットの上方位置にコーナー用ブラケットを取付けることにより、扇形朝顔装置を端部朝顔装置の上方所定位置Ｈに設置するように構成して成る点にある。
【００１４】
前記コーナーユニットを構成する矩形朝顔装置は、異なる幅寸法を有する複数種類の矩形朝顔装置から選択され、前記コーナー領域に臨む端部朝顔装置の間の間隔が狭い場合は、小幅寸法の矩形朝顔装置を選択し、前記コーナー領域に臨む端部朝顔装置の間の間隔が広い場合は、大幅寸法の矩形朝顔装置を選択することが好ましい。
【００１５】
また、本発明の足場構築体におけるコーナー用朝顔装置が特徴として構成したところは、前記工法を実施するために使用するコーナー用朝顔装置であり、コーナー領域の中央に配置される矩形朝顔装置と該矩形朝顔装置の左右に配置される一対の扇形朝顔装置により構成されたコーナーユニットと、コーナー領域に臨む左右一対の端部支柱に取付けられるコーナー用ブラケットと、前記左右一対の端部支柱の上方位置からそれぞれ左右一対の扇形朝顔装置を吊持する吊持材を備えており、前記コーナー用ブラケットは、前記端部支柱に固着される固着具から延設された支持アームを介して、前記コーナーユニットの扇形朝顔装置の基端部を連結する外側ブラケットと、前記矩形朝顔装置の基端部を連結する内側ブラケットを設けて成る点にある。
【００１６】
本発明の好ましい実施形態において、前記コーナー用ブラケットは、前記外側ブラケット及び内側ブラケットの下方位置に載置手段を設けており、前記既設ブラケットの上に前記載置手段を載置することにより、該コーナー用ブラケットに扇形朝顔装置の基端部を連結したとき、該扇形朝顔装置が端部朝顔装置の上方所定位置Ｈに設置されるように構成している。
【００１７】
更に、本発明の足場構築体におけるコーナー用朝顔装置が特徴として構成したところは、前記工法を実施するために使用するコーナー用朝顔装置であり、コーナー領域の中央に配置される矩形朝顔装置と該矩形朝顔装置の左右に配置される一対の扇形朝顔装置により構成されたコーナーユニットと、コーナー領域に臨む左右一対の端部支柱に取付けられるコーナー用ブラケットと、前記左右一対の端部支柱の上方位置からそれぞれ左右一対の扇形朝顔装置を吊持する吊持材を備えており、前記扇形朝顔装置は、扇形角度を規定する基端部材と、該基端部材に固設されることにより前記コーナー用ブラケットに枢結される枢結部材と、前記基端部材の両側から前記扇形角度を保持した状態で延びる左右フレームと、該左右フレームの相互に対向する保持溝により両側縁を保持される閉塞板を備えており、前記左右フレームは、前記閉塞板の上面を横断する梁部材により連結されると共に、該梁部材を前記吊持材により前記端部支柱の上方位置から吊持されるように構成して成る点にある。
【発明の効果】
【００１８】
本発明によれば、コーナー用朝顔装置１９は、コーナー領域の中央に配置される矩形朝顔装置２０と、左右に配置される扇形朝顔装置２１Ｌ、２１Ｒによりコーナーユニットを構成し、コーナー用ブラケット２２を既設ブラケット３の上方に位置して端部支柱６ｅに取付けることにより、扇形朝顔装置２１を既存の端部朝顔装置２ｅの上方所定位置Ｈに設置する構成であるから、現場に応じて交差角度が様々に相違する場合でもコーナー領域を好適に塞ぐことが可能となる。
【００１９】
つまり、従来のようにＸ方向及びＹ方向からコーナー領域に臨む端部朝顔装置２ｅ、２ｅの間に嵌入する構成ではなく、左右方向に関して端部朝顔装置２ｅ、２ｅに干渉しない上方所定位置Ｈに設置する構成であるから、中央の矩形朝顔装置２０に関して、幅寸法Ｗが異なるものを組合せることにより、常に、コーナー領域の全域を塞ぐことが可能になり、落下物の落下を阻止する本来の目的を好適に達成することができるという効果がある。
【図面の簡単な説明】
【００２０】
【図１】本発明の工法に基づいて設置したコーナー用朝顔装置の１例を示す斜視図である。
【図２】本発明の工法に基づいて設置したコーナー用朝顔装置の１例を示す平面図である。
【図３】コーナー用朝顔装置の基端部の連結部分を拡大して示す平面図である。
【図４】本発明の工法に基づいて設置したコーナー用朝顔装置の別の例を示す平面図である。
【図５】本発明の装置におけるコーナー用ブラケットを足場構築体の端部支柱に取付ける方法を示す斜視図である。
【図６】本発明の装置におけるコーナー用ブラケットにコーナーユニットの基端部を連結する方法を示す斜視図である。
【図７】本発明の装置における扇形朝顔装置を示す平面図である。
【図８】本発明の装置における扇形朝顔装置を示す側面図である。
【図９】本発明の装置における扇形朝顔装置の分解状態を示す斜視図である。
【図１０】本発明の工法に基づいて設置したコーナー用朝顔装置に関して、矩形朝顔装置と扇形朝顔装置の関係と、扇形朝顔装置と既設の端部朝顔装置の関係を示す断面図である。
【発明を実施するための形態】
【００２１】
以下図面に基づいて本発明の好ましい実施形態を詳述する。
【００２２】
図１及び図２は、本発明の工法に基づいて設置したコーナー用朝顔装置の１例を示している。
【００２３】
［足場構築体及び既存朝顔の構成］
図示の実施形態において、足場構築体は、コーナー領域において内角を９０度以上の角度として交差するＸ方向とＹ方向に関して、Ｘ方向に延びる第１足場構築体１Ｘと、Ｙ方向に延びる第２足場構築体１Ｙが構築されている。このような足場構築体は、相互に妻方向の横架材により連結された一対の支柱を１組として、建造物の外壁に沿って、所定間隔をあけて各組の支柱を配置すると共に、相互に桁方向の連結材により連結することにより構築され、隣り合う横架材に足場板を搭載することにより作業床を形成している。この点は、従来技術と同様であるから、詳述を省略する。尚、図例の場合、枠組足場を示しているが、楔足場等であっても良い。
【００２４】
前記第１足場構築体１Ｘと第２足場構築体１Ｙには、それぞれ所定の地上高に位置して、第１足場構築体１Ｘから斜め上向きに張出状態で列設された第１朝顔群２Ｘと、第２足場構築体１Ｙから斜め上向きに張出状態で列設された第２朝顔群２Ｙが設けられている。
【００２５】
第１朝顔群２Ｘ及び第２朝顔群２Ｙを構成する従来の朝顔装置２（以下「既存朝顔装置」という。）は、矩形に形成され、しかも、異なる幅寸法を有する複数種類のものが選択的に使用されている。例えば、本出願人の場合、幅寸法６００ｍｍ、９００ｍｍ、１２００ｍｍ、１５００ｍｍ、１８００ｍｍとした５種類のものや、インチ寸法により幅寸法を相違させた複数種類のものを製作し供給しており、施工現場に応じて、これらの１種類を使用し又は複数種類を組合せることにより使用している。
【００２６】
既存朝顔装置２は、矩形に枠組みされたフレームに閉塞板を設け、基端部を足場構築体の支柱に固着されたブラケット３（以下「既設ブラケット３」という。）に枢結され、下方位置で支柱に固着された下側ブラケット４を介して斜材５により支持されている。
【００２７】
足場構築体の支柱のうち、前記コーナー領域に臨む支柱を端部支柱６ｅ、既設朝顔装置２のうち、前記コーナー領域に臨むものを端部朝顔装置２ｅと称することにより説明すると、図５に示すように、既設ブラケット３は、上部に設けたクランプ金具から成る固着手段７により端部支柱６ｅの所定個所に固着される。この際、下部に設けた係止手段８が端部支柱６ｅを側方から抱持すると共に、フック手段９が端部支柱６ｅの横架材１０の上面に係止される。
【００２８】
既設ブラケット３は、上下に枢結孔１１と固定孔１２を設けており、前記枢結孔１１に端部朝顔装置２ｅの枢支部１４の孔を合致させた状態で、枢結具１３のピン１５を挿通することにより、端部朝顔装置２ｅの基端部を枢結する。前記枢結具１３は、ボルト１６を設けており、該ボルト１６を前記固定孔１２に挿通し、ナット１７を締着することにより、ピン１５の脱落を阻止する。この際、前記ピン１５及びボルト１６の挿出端を挿通させるワッシャ１８が介装され、該ワッシャ１８の上からナット１７が締着される。尚、前記枢結孔１１は、妻方向（横架材の軸方向）に間隔をあけて複数が列設され、これに応じて前記固定孔１２は、同方向にスリットを介して連通された複数を備えている。従って、足場構築体に防音パネルや養生枠が設けられている場合、前記複数の孔に基づいて端部朝顔装置２ｅの枢支部１４の枢支位置を選択することにより、遠近方向の位置調節を可能にしている。
【００２９】
図面には詳細を省略しているが、前記下側ブラケット４は、既設ブラケット３と同様の構成とされ、斜材５の両端部をそれぞれ下側ブラケット４と既存朝顔装置２の下面の枢支片に枢結している。この際、斜材５は、伸縮自在かつ所定の伸長状態で固定自在に構成され、既存朝顔装置２を所定の上向き姿勢に支持する。
【００３０】
［コーナー朝顔装置の構成と設置方法］
コーナー用朝顔装置１９は、前記コーナー領域の中央に配置されるパネル状の矩形朝顔装置２０と、前記矩形朝顔装置２０の左右に配置される一対のパネル状の扇形朝顔装置２１Ｌ、２１Ｒによりコーナーユニットを構成している。尚、左右の扇形朝顔装置２１Ｌ、２１Ｒは、同一に構成され又は左右対称に構成されているので、以下、一方について説明し、左右を区別しない場合は単に扇形朝顔装置２１という。
【００３１】
矩形朝顔装置２０は、上述の既存朝顔装置２から選択された１枚のパネルが使用される。上述のように、既存朝顔装置２は、異なる幅寸法を有する複数種類が使用されているので、コーナー領域におけるＸ方向とＹ方向の交差角度に応じて、所望の幅寸法の既存朝顔装置２を選択することにより、コーナーユニットの矩形朝顔装置２０を構成する。
【００３２】
施工現場に応じて、例えば、図２に示すように、Ｘ方向とＹ方向の交差角度が９０度に近い場合は、複数種類の既存朝顔装置２から選択された大幅寸法Ｗ１の矩形朝顔装置２０によりコーナーユニットが構成される。一方、図４に示すように、交差角度が１８０度に近い場合は、既存朝顔装置２から選択された小幅寸法Ｗ２の矩形朝顔装置２０によりコーナーユニットが構成される。
【００３３】
上述のように第１足場構築体１Ｘ及び第２足場構築体１Ｙを構築すると共に、第１朝顔群２Ｘ及び第２朝顔群２Ｙを設置した後、コーナー用朝顔装置１９が設置される。前記コーナー領域に臨む端部支柱６ｅにコーナー用ブラケット２２を取付け（ブラケット取付工程）、その後、前記コーナー用ブラケット２２を介して矩形朝顔装置２０及び扇形朝顔装置２１の基端部を連結し（連結支持工程）、１枚の矩形朝顔装置２０と２枚の扇形朝顔装置２１から成るコーナーユニットを起立姿勢から傾斜姿勢とするように下降させた後、矩形朝顔装置２０を下方から斜材により支持し（支持工程）、扇形朝顔装置２１を端部支柱６ｅの上方位置から吊持材２３により吊持させる（吊持工程）。
【００３４】
好ましくは、前記ブラケット取付工程の後、斜材を付設した矩形朝顔装置２０の基端部をコーナー用ブラケット２２に連結し(矩形朝顔装置の連結支持工程)、起立姿勢から傾斜姿勢とするように下降させると共に前記斜材により下方から支持し(矩形朝顔装置の支持工程)、その後、扇形朝顔装置２１の基端部をコーナー用ブラケット２２に連結し(扇形朝顔装置の連結支持工程)、起立姿勢から傾斜姿勢とするように下降させ、側縁部を前記矩形朝顔装置２０に預け置いた状態で、吊持材２３により吊持する（吊持工程）。このように連結支持工程を矩形朝顔装置２０と扇形朝顔装置２１に分けて順次行えば、１枚の矩形朝顔装置２０と２枚の扇形朝顔装置２１から成る重いコーナーユニットの全体を同時に下降させる場合に比して、作業が容易となる。しかしながら、本発明は、ブラケット取付工程の後に実施する前記連結支持工程と前記支持工程と前記吊持工程の順序を限定するものではない。
【００３５】
上記により、コーナー領域は、前記コーナーユニットにより閉塞される。尚、前記支持工程は、上述した既存朝顔装置２と同様の方法で同様に構成された下側ブラケット４と斜材２４（図１０参照）を用いることにより実施される。前記矩形朝顔装置２０の斜材２４を支持する下側ブラケット４を端部支柱６ｅに固着する際、同一の端部支柱６ｅに既存朝顔装置２のための下側ブラケット４が先に固着されているが、後述するように、矩形朝顔装置２０は、既設朝顔装置２よりも上方所定位置Ｈに設置されるので、両者の下側ブラケット４、４は、上下に位置をずらせることにより、同一の端部支柱６ｅに固着することが可能である。つまり、端部支柱６ｅには、既設朝顔装置２の斜材を支持する下側ブラケット４が先に固着されているが、上方所定位置Ｈに相当する上方の位置において、矩形朝顔装置２０の斜２４を支持する下側ブラケット４を該端部支柱６ｅに固着すれば良い。
【００３６】
前記ブラケット取付工程は、端部支柱６ｅに固着された端部朝顔装置２ｅの基端部を連結する既設ブラケット３に対して、その上方位置にコーナー用ブラケット２２を取付けることにより実施される。従って、図１及び図１０に示すように、扇形朝顔装置２１は、端部朝顔装置２ｅの上方所定位置Ｈに設置される。つまり、扇形朝顔装置２１を含むコーナーユニットは、Ｘ方向及びＹ方向からコーナー領域に臨む端部朝顔装置２ｅ、２ｅの間に嵌入されるのではなく、左右方向に関して端部朝顔装置２ｅ、２ｅに干渉しない上方所定位置Ｈに設置される。
【００３７】
その結果、図４に示すように、交差角度が９０度よりも相当に大きいコーナー領域にコーナー用朝顔装置１９を設置する場合、小幅寸法Ｗ２の矩形朝顔装置２０と一対の扇形朝顔装置２１Ｌ、２１Ｒの組合せによりコーナーユニットを構成することにより、コーナー用朝顔装置１９は、隣接する端部朝顔装置２ｅ、２ｅに干渉することなく、その上方に扇形朝顔装置２１Ｌ、２１Ｒをオーバラップさせた状態で設置することが可能となる。そして、図示のように、扇形朝顔装置２１Ｌ、２１Ｒにより、矩形朝顔装置２０と端部朝顔装置２ｅ、２ｅの間の隙間Ｓを好適に塞ぎ、落下物の落下を阻止する。
【００３８】
従って、例えば、交差角度が９０度よりも小さい場合に対応できるように所定の扇形角度を備えた扇形朝顔装置２１Ｌ、２１Ｒを予め用意しておけば、幅寸法の異なる矩形朝顔装置２０と組合せることにより、交差角度が９０度よりも小さいコーナー領域から、交差角度が９０度よりも大きいコーナー領域まで、広範囲に対応可能であり、常に、コーナー領域を塞ぐことが可能になる。
【００３９】
前記コーナー用ブラケット２２は、図５及び図６に示すように、クランプ金具から成る固着具２５から上向きに延びる支持アーム２６を介して、外側ブラケット２７と内側ブラケット２８を設けている。
【００４０】
矩形朝顔装置２０の両側に位置して、それぞれ該矩形朝顔装置２０と左右の扇形朝顔装置２１Ｌ、２１Ｒの基端部を枢結するため、図３に示すように、左右対称に形成されたコーナー用ブラケット２２Ｌ、２２Ｒが用いられ、それぞれ、前記外側ブラケット２７が扇形朝顔装置２１の基端部に臨み、前記内側ブラケット２８が矩形朝顔装置２０の基端部に臨むように構成されている。従って、図５及び図６は、右側のコーナー用ブラケット２２Ｒだけを示しているが、左側のコーナー用ブラケット２２Ｌは、対称に構成されていることを理解されたい。
【００４１】
図示実施形態の場合、前記支持アーム２６を構成する金属板を上方に延長することにより内側ブラケット２８が形成され、該支持アーム２６から外向き横方向に突設した金属板により載置手段２９を形成し、該載置手段２９の上に金属板を立設することにより外側ブラケット２７を形成している。この際、外側ブラケット２７と内側ブラケット２８は、相互に平行ではなく、図２に示す角度θを形成するにように配置されている。図例の場合、載置手段２９に対して、外側ブラケット２７が前記角度θを保持する姿勢となるように溶接等で固着されている。
【００４２】
外側ブラケット２７は、上下に枢結孔３０と固定孔３１を設けている。内側ブラケット２８は、上下に枢結孔３２と固定孔３３を設けている。内側ブラケット２８の枢結孔３２は、妻方向（矩形朝顔装置２０の自由端に向かう方向）に間隔をあけて複数が列設され、これに応じて前記固定孔３３は、同方向にスリットを介して連通された複数を備えている。
【００４３】
コーナー用ブラケット２２は、端部支柱６ｅに取付ける際に、先に取付けられた既設ブラケット３の上方に位置して取付けられる。図示実施形態の場合、図５に示すように、既設ブラケット３の固着手段７と係止手段８の間に位置する端部支柱６ｅの中間部Ｍに、コーナー用ブラケット２２の固着具２５が固着される。この際、コーナー用ブラケット２２の載置手段２９が既設ブラケット３の頂部に載置され、これにより外側ブラケット２７及び内側ブラケット２８の高さ位置が決定され、後に設置されるコーナー用朝顔装置１９の高さ位置Ｈを規定する。
【００４４】
この際、コーナー用ブラケット２２は、載置手段２９の側縁から下向きに係止爪３４を垂設し、該係止爪３４を既設ブラケット３に係止させるように構成されている。従って、固着具２５により端部支柱６ｅに固定する前に、前記載置手段２９が既設ブラケット３から滑落することを防止し、作業中の安全を確保する。また、係止爪３４を所定の位置に形成しておけば、既設ブラケット３の側面に当接させることにより、端部支柱６ｅの周方向に関するコーナー用ブラケット２２の位置決めを容易に行うことが可能になる。
【００４５】
そこで、図６に示すように、端部支柱６ｅに取付けられたコーナー用ブラケット２２に、扇形朝顔装置２１及び矩形朝顔装置２０の基端部を連結する。
【００４６】
扇形朝顔装置２１は、基端部の枢結部材３５を外側ブラケット２７の外面に沿わされ、該枢結部材３５の孔３６を外側ブラケット２７の枢結孔３０に合致させた状態で、枢結具３７のピン３８を挿通することにより枢結される。前記枢結具３７は、ボルト３９を設けており、該ボルト３９を前記固定孔３１に挿通し、ナット４０を締着することにより、ピン３８の脱落を阻止する。この際、前記ピン３８及びボルト３９の挿出端を挿通させるワッシャ４１が介装され、該ワッシャ４１の上からナット４０が締着される。
【００４７】
矩形朝顔装置２０は、基端部の枢支部４２を内側ブラケット２８の外面に沿わされ、該枢支部４２の孔４３を内側ブラケット２８の所定の枢結孔３２に合致させた状態で、枢結具４４のピン４５を挿通することにより枢結される。前記枢結具４４は、ボルト４６を設けており、該ボルト４６を前記固定孔３３に挿通し、ナット４７を締着することにより、ピン４５の脱落を防止する。この際、前記ピン４５及びボルト４６の挿出端を挿通させるワッシャ４８が介装され、該ワッシャ４８の上からナット４７が締着される。
【００４８】
上記から理解できるように、扇形朝顔装置２１を枢結するための枢結具３７及びワッシャ４１と、矩形朝顔装置２０を枢結するための枢結具４４及びワッシャ４８は、図５に示す既存朝顔装置２の枢結具１３及びワッシャ１８と同一構成のものを使用することができ、これにより部品の共通化が可能となる。
【００４９】
コーナーユニットを構成する矩形朝顔装置２０及び扇形朝顔装置２１は、コーナー用ブラケット２２に対して、起立姿勢とした状態で枢結された後、矩形朝顔装置２０及び扇形朝顔装置２１の自由端部に設けられた吊下げ具４９（図７及び図８参照）に連結したロープ等の索条を繰り出すことにより、所定の傾斜姿勢となるように下降させられる。所定の傾斜姿勢とした状態で、矩形朝顔装置２０は、上述のように端部支柱６ｅの下方から斜材２４により支持される。扇形朝顔装置２１は、上述のように端部支柱６ｅの上方位置から吊持材２３により吊持される。
【００５０】
矩形朝顔装置２０は、既存朝顔装置２を利用することが可能であり、既存朝顔装置２の構成は公知である。従って、以下、扇形朝顔装置２１の構成について説明する。
【００５１】
図７ないし図１０に示すように、扇形朝顔装置２１は、扇形角度を規定する基端部材５０と、該基端部材５０の両側から前記扇形角度を保持した状態で延びる左右フレーム５１Ｌ、５１Ｒを備えている。
【００５２】
左右フレーム５１Ｌ、５１Ｒは、図１０に示すように、アルミニウム等の金属製の型材により形成され、上片部５２と下片部５３により保持溝５４を形成し、前記上片部５２の上方位置から保持溝５４の反対側で横方向に延びる翼片部５５を備えており、左右フレーム５１Ｌ、５１Ｒの保持溝５４、５４が相互に対向するように、左右対称状に配置される。
【００５３】
基端部材５０は、上部に前記枢結部材３５を固設しており、左右フレーム５１Ｌ、５１Ｒの基端部に対して、両側を保持溝５４、５４に嵌入することにより固定される。図示実施形態の場合、一方のフレーム（図例の場合、左フレーム５１Ｌ）は、上片部５２と基端部材５０をリベットその他の固着手段により固着され一体化され、他方のフレーム（図例の場合、右フレーム５１Ｒ）は、保持溝５４の底部に係止孔５６を設けており、基端部材５０側面に突設した頭付きピン５７を係止孔５６に挿入した状態で、該フレームを長手方向に移動させることにより、頭付きピン５７と係止孔５６を嵌合させることにより、着脱自在に固定される。
【００５４】
図７に示すように、左右フレーム５１Ｌ、５１Ｒの間には、閉塞板５８が設けられる。閉塞板５８は、従来の朝顔装置において万能板と称されている波形その他のパネル板であり、左右フレーム５１Ｌ、５１Ｒの自由端部から前記保持溝５４、５４に沿ってスライドさせながら嵌入した後、該自由端部に押さえバー５９を取付けることにより固定される。
【００５５】
上述のように左右フレーム５１Ｌ、５１Ｒは、一方を基端部材５０に固着一体化し、他方を基端部材５０に着脱自在に固定することにより、組立・分解自在に構成されている。そこで、図７に示すように、左右フレーム５１Ｌ、５１Ｒの長手方向中間部を梁部材６０で連結すると共に、自由端部を横断型の振れ止め材６１で連結し、更に、基端部材５０と押さえバー５９を縦断型の振れ止め材６２で連結することにより、剛性を確保している。
【００５６】
図７及び図９に示すように、左右フレーム５１Ｌ、５１Ｒの長手方向中間部の上部に台座部材６３、６３が固設され、両台座部材６３、６３から相互に対向する角筒状の孔付き連結材６４が突設されており、該連結材６４、６４を梁部材６０により連結するように構成されている。梁部材６０は、両端に二股片６５を固設すると共に、該二股片６５を摺動自在に横断するほぼＵ形のピン６６を設けている。従って、前記二股片６５により連結材６４を挟持した状態で、ピン６６を連結材６４の孔に挿着することにより、左右フレーム５１Ｌ、５１Ｒは、梁部材６０の両端部に着脱自在に連結される。
【００５７】
梁部材６０は、扇形朝顔装置２１の剛性を確保すると共に、前記吊持材２３の連結手段として機能する。このため、梁部材６０の長手方向中間部の上部には、角筒状の孔付き連結材６７が固設されている。吊持材２３は、前記梁部材６０と同様に構成されており、従って、吊持材２３の下端部の二股片により前記連結材６７を挟持した状態で、ピンを連結材６７の孔に挿着することにより、着脱自在に連結される。尚、吊持材２３の上端部は、端部支柱６ｅの上方位置に固着されるクランプ金具から成る固着手段６８（図７及び図８参照）に対して同様の方法で着脱自在に連結される。
【００５８】
左右フレーム５１Ｌ、５１Ｒは、更に、自由端部に横断型の振れ止め材６１を連結するための連結材６９を設けている。図９に示すように、連結材６９は、左右フレーム５１Ｌ、５１Ｒの自由端部に位置する下片部５３の下側に設けられた孔付きの角筒部材により構成されている。横断型の振れ止め材６１は、前記梁部材６０と同様に構成され、両端部に二股片とピンを設けており、該二股片により前記連結材６９を挟持した状態で、ピンを連結材６９の孔に挿着することにより、着脱自在に連結される。
【００５９】
前記縦断型の振れ止め材６２を連結するため、基端部材５０と横断型の振れ止め材６１には、相互に対向する角筒状の孔付き連結材７０が固設されている。縦断型の振れ止め材６２は、前記梁部材６０と同様に構成され、両端部に二股片とピンを設けており、該二股片により前記連結材７０を挟持した状態で、ピンを連結材７０の孔に挿着することにより、着脱自在に連結される。
【００６０】
上記から理解できるように、梁部材６０と横断型の振れ止め材６１と縦断型の振れ止め材６２は、相互に長さ寸法を相違しているが、同一構成の基本的構成部材（角筒状の本体部分並びに二股片及びピン）を使用することができるので、部品の共通化が可能となる。
【００６１】
図示実施形態の場合、図８に示すように、左右フレーム５１Ｌ、５１Ｒの保持溝５４に保持された閉塞板５８は、上下から梁部材６０と振れ止め材６１、６２により拘束されている。従って、ＦＲＰ等の薄い可撓性の板により形成した閉塞板５８が強風で煽られる等、撓み変形させられた場合でも、保持溝５４から脱落することを好適に防止することができる。
【００６２】
コーナー用ブラケット２２を介してコーナー領域に設置されたコーナー用朝顔装置１９は、コーナーユニットを構成する矩形朝顔装置２０の閉塞板と扇形朝顔装置２１の閉塞板５８の上面を面一に整合する。この際、図１０に示すように、扇形朝顔装置２１は、フレーム５１の翼片部５５を矩形朝顔装置２０の側縁部の上方にオーバラップさせており、隙間の発生を防止する。尚、反対側の翼片部５５を含むフレーム５１は、上述のように、隣接する端部朝顔装置２ｅよりも上方所定位置Ｈに配置され、相互に干渉しない上下方向のクリアランスｈを形成する。
【００６３】
尚、以上、本発明の好ましい実施形態について説明したが、本発明が上記実施形態に限定されないことは勿論であり、例えば、コーナーユニットを構成する矩形朝顔装置２０と扇形朝顔装置２１を上下方向に揃えることは必ずしも必要でなく、扇形朝顔装置２１が隣接する端部朝顔装置２ｅに干渉しないように上方の所定位置Ｈに設置されるものであれば、本発明の目的を達成することができる。また、上記実施形態では、矩形朝顔装置２０を斜材２４により下方から支持する構成を説明したが、矩形朝顔装置２０の支持方法は、適宜設計変更等が可能である。更に、上記扇形朝顔装置２１の「扇形」の意味は、上述した角度θの範囲において空間を塞ぐことができるものであれば良く、図示のような二等辺三角形の他、種々の形状を含む意味であることを諒解されたい。
【符号の説明】
【００６４】
１Ｘ  第１足場構築体
１Ｙ  第２足場構築体
２Ｘ  第１朝顔群
２Ｙ  第２朝顔群
２    既存朝顔装置
２ｅ  端部朝顔装置
３  既設ブラケット
４  下側ブラケット
５  斜材
６ｅ  端部支柱
７  固着手段
８  係止手段
９  フック手段
１０  横架材
１１  枢結孔
１２  固定孔
１３  枢結具
１４  枢支部
１５  ピン
１６  ボルト
１７  ナット
１８  ワッシャ
１９  コーナー用朝顔装置
２０  矩形朝顔装置
２１  扇形朝顔装置
２２  コーナー用ブラケット
２３  吊持材
２４  斜材
２５  固着具
２６  支持アーム
２７  外側ブラケット
２８  内側ブラケット
２９  載置手段
３０  枢結孔
３１  固定孔
３２  枢結孔
３３  固定孔
３４  係止爪
３５  枢結部材
３６  孔
３７  枢結具
３８  ピン
３９  ボルト
４０  ナット
４１  ワッシャ
４２  枢支部
４３  孔
４４  枢結具
４５  ピン
４６  ボルト
４７  ナット
４８  ワッシャ
４９  吊下げ具
５０  基端部材
５１Ｌ、５１Ｒ  左右フレーム
５２  上片部
５３  下片部
５４  保持溝
５５  翼片部
５６  係止孔
５７  頭付きピン
５８  閉塞板
５９  押さえバー
６０  梁部材
６１、６２  振れ止め材
６３  台座部材
６４  連結材
６５  二股片
６６  ピン
６７  連結材
６８  固着手段
６９  連結材
７０  連結材
【図１】
2015203184.tif 000003
【図２】
2015203184.tif 000004
【図３】
2015203184.tif 000005
【図４】
2015203184.tif 000006
【図５】
2015203184.tif 000007
【図６】
2015203184.tif 000008
【図７】
2015203184.tif 000009
【図８】
2015203184.tif 000010
【図９】
2015203184.tif 000011
【図１０】
2015203184.tif 000012